(57)【要約】【課題】検品作業を簡素化もしくは省くことが可能な獣脂の異物除去方法及び異物除去装置並びにそれを用いた食用脂の製造方法を提供する。【解決手段】前処理液によって表面が洗い流された獣脂Ｆが入れられる回動体４と、回動体４を回動させるための回動手段５と、回動体５内に設けられ、洗浄液Ｗ１を獣脂Ｆに対して噴射する噴射手段６と、洗浄廃液Ｗ２を排出するための排出手段７と、を備え、洗浄廃液Ｗ２の排出は、洗浄液Ｗ１の噴射と並行して行うことができる異物除去装置１を用いて、回動体４を回動させながら洗浄液Ｗ１を獣脂Ｆに噴射して異物の除去を行うのと並行して洗浄廃液Ｗ２を回動体５外に排出する様にする。【選択図】図３
2019013201.tif 000002
【特許請求の範囲】
【請求項１】
獣脂の異物除去方法であって、
前処理液によって表面が洗い流された該獣脂を、回動体内に入れ、該回動体を回動させながら洗浄液を該獣脂に向けて噴射する噴射工程と、該噴射工程と並行して洗浄廃液の排出を行う排液工程と、を有する異物除去工程を含むことを特徴とする獣脂の異物除去方法。
【請求項２】
前記異物除去工程を行った後に、該獣脂を冷却液で冷却する冷却工程を更に含むことを特徴とする請求項１に記載の獣脂の異物処理方法。
【請求項３】
前記洗浄液の温度は、前記冷却液の温度以上であって、前記獣脂の融点以下であることを特徴とする請求項２に記載の獣脂の異物除去方法。
【請求項４】
前記冷却液の温度は、該冷却液の凝固点以上10℃以下であることを特徴とする請求項２又は３に記載の獣脂の異物除去方法。
【請求項５】
前記獣脂は、豚脂であり、
前記洗浄液の温度は、10℃乃至30℃であることを特徴とする請求項１乃至４の何れかに記載の獣脂の異物除去方法。
【請求項６】
前記洗浄液は、水であることを特徴とする請求項１乃至５の何れかに記載の獣脂の異物除去方法。
【請求項７】
請求項１乃至６の何れかに記載の獣脂の異物除去方法を用いることを特徴とする食用脂の製造方法。
【請求項８】
請求項１乃至６の何れかに記載の獣脂の異物除去方法に用いられることを特徴とする獣脂の異物除去装置。
【請求項９】
獣脂の異物除去装置であって、
該獣脂が入れられる回動体と、
該回動体を回動させるための回動手段と、
該回動体内に設けられ、洗浄液を該獣脂に対して噴射する噴射手段と、
洗浄廃液を排出するための排出手段と、を備え、
該洗浄廃液の排出は、該洗浄液の噴射と並行して行うことができることを特徴とする獣脂の異物除去装置。
【請求項１０】
前記回動体内に設けられて、前記獣脂を該回動体の一端より他端へと移送する移送手段を更に備えていることを特徴とする請求項９に記載の獣脂の異物除去装置。
【請求項１１】
前記移送手段は、略螺旋状に形成されていることを特徴とする請求項１０に記載の獣脂の異物除去装置。
【請求項１２】
前記回動体は、周壁を有しており、
前記排出手段は、複数の穴として、該周壁に設けられていることを特徴とする請求項９乃至１１の何れかに記載の獣脂の異物除去装置。
【発明の詳細な説明】
【技術分野】
【０００１】
本発明は、獣脂の異物除去方法及び異物除去装置並びにそれを用いた食用脂の製造方法に関する。
【０００２】
屠殺された獣類の肉から切り離された直後の獣脂は、通常、その表面に粘着性があり、べた付いているため、獣毛等の異物が付着しており、それら異物を除去する必要がある。従来、獣脂表面の異物の除去は、洗浄液である加温された水を張った洗浄槽内に獣脂をいれ、獣脂を搖動することで、獣脂の表面のべた付きを洗い流すと共に獣脂表面の異物も洗い流し、その後、獣脂を冷却水で冷却することで行われている（例えば、非特許文献１を参照）。従来の異物除去方法においては、獣脂の表面に付着した約80％以上の異物を除去することが可能である。
【先行技術文献】
【非特許文献】
【０００３】
【非特許文献１】「工業技術連絡会議  東北・北海道地方部会研究論文集  第１１号」、工業技術院東北工業技術研究所、１９９８年、ｐ．１４３−１４５
【発明の概要】
【発明が解決しようとする課題】
【０００４】
しかしながら、逆にいえば、従来の異物除去方法では、獣脂の表面に付着していた異物の内、最大で約20％程度の異物が獣脂の表面に残存する可能性があるということになる。又、従来の異物除去方法においては、洗浄液を張った洗浄槽内で異物の除去を行うため、除去された異物は、獣脂と共に洗浄槽内を対流することとなる。
【０００５】
そのため、一旦、獣脂の表面より除去された獣毛等の異物が、獣脂の表面に再付着する可能性もあった。1トンの獣脂当たり平均して約40本以上の獣毛（異物）が残存してしまうのが現状である。異物の残留は、特に、食品分野においては、大きな問題である。
【０００６】
残存してしまった異物は、その後の検査工程で除去されることとなるが、この検査工程は、最終的には人の知覚を使って行われる。従来の異物除去方法においては、獣脂の表面の何処に異物が残存しているかの特定は困難であるため、異物の残留がないかを、検査員の目視によって、獣脂の表面全体を隈なく精査をし、異物があればそれを取り除く作業を繰り返し行う必要があった。
【０００７】
特に、白色もしくはそれに近似する色の異物（例えば、白色の獣毛等）が付着する可能性がある場合は、獣脂の色に紛れやすいため、より時間をかけて精査をする必要があった。そのため、この検査工程は、時間とコストの掛るものであった。この検査工程を簡素化もしくは省くことができれば、より迅速且つ経済的に製品を製造することが可能となる。
【０００８】
そこで、本発明は、検査工程を簡素化もしくは省くことが可能な獣脂の異物除去方法及び異物除去装置並びにそれを用いた食用脂の製造方法を提供することを目的とする。
【課題を解決するための手段】
【０００９】
本発明は、獣脂の異物除去方法であって、前処理液によって表面が洗い流された該獣脂を、回動体内に入れ、該回動体を回動させながら洗浄液を該獣脂に向けて噴射する噴射工程と、該噴射工程と並行して洗浄廃液の排出を行う排液工程と、を有する異物除去工程を含むことを特徴とする獣脂の異物除去方法。
【００１０】
又、本発明は、獣脂の異物除去装置であって、該獣脂が入れられる回動体と、該回動体を回動させるための回動手段と、該回動体内に設けられ、洗浄液を該獣脂に対して噴射する噴射手段と、洗浄廃液を排出するための排出手段と、を備え、該洗浄廃液の排出は、該洗浄液の噴射と並行して行うことができることを特徴とする獣脂の異物除去装置である。
【００１１】
又、本発明は、前記獣脂の異物除去方法に用いられることを特徴とする獣脂の異物除去装置である。又、本発明は、前記獣脂の異物除去方法を用いることを特徴とする食用脂の製造方法である。
【００１２】
尚、本発明は、前記異物除去工程を行った後に、該獣脂を冷却液で冷却する冷却工程を更に含むことが可能である。又、本発明は、前記洗浄液の温度は、前記冷却水の温度以上であって、前記獣脂の融点以下とすることが可能である。又、本発明は、前記冷却液の温度を、該冷却液の凝固点以上10℃以下とすることが可能である。又、本発明は、前記獣脂を、豚脂とし、前記洗浄液の温度を、10℃乃至30℃とすることが可能である。又、本発明は、前記洗浄液を、水とすることが可能である。
【００１３】
又、本発明は、前記回動体内に設けられて、前記獣脂を該回動体の一端より他端へと移送する移送手段を更に備えることが可能ある。又、本発明は、前記移送手段を、略螺旋状に形成することが可能である。又、本発明は、前記回動体が、周壁を有するものとし、前記排出手段を、複数の穴として、該周壁に設けることが可能である。
【発明の効果】
【００１４】
本発明は、前処理液によって獣脂の表面を温められた該獣脂を、回動体内に入れ、該回動体を回動させながら該前処理液よりも低温であって、冷却液の温度以上の洗浄液を該獣脂に向けて噴射する噴射工程と並行して洗浄廃液を排出する排液工程を行うことで、従来の獣脂の異物除去方法と比較してより確実に異物を除去できると共に異物が獣脂に再付着することを防止できるため検品作業を簡略化もしくは省くことが可能な獣脂の異物除去方法及び異物除去装置並びにそれを用いた食用脂の製造方法を提供することが可能となる。
【図面の簡単な説明】
【００１５】
【図１】本発明の実施形態を示す図であり、異物除去装置の側面図である。
【図２】本発明の実施形態を示す図であり、洗浄装置の背面図である。
【図３】本発明の実施形態を示す図であり、異物除去工程の様子を示す図１のIII−III拡大断面図に相当する略図である。
【００１６】
本発明の実施形態を図１に基づき説明する。先ず、本実施形態おける異物除去装置１について説明する。異物除去装置１は、洗浄装置２及び冷却槽３を備えている。洗浄装置２は、後述する異物除去工程を行うために設けられており、本体部４と、回動手段５と、噴射手段６と、排出手段７と、を備えている。
【００１７】
本体部４は、略筒形に形成された回動体であり、その一端には、獣脂Ｆを入れるための入口部４ａが設けられている。本実施形態においては、本体部４は、無底の略円筒形に形成されると共に横倒しの状態で設置され、本体部４の他端には、獣脂Ｆを本体部４外に排出するための出口部４ｂが設けられている。又、本体部４の周壁４ｃの内面には、獣脂Ｆを入口部４ａ側から出口部４ｂ側へ、即ち、Ａ１方向へと移送するための移送手段８が設けられている。
【００１８】
移送手段８の形状は、獣脂ＦをＡ１方向に移送することが可能であれば、適宜選択可能であるが、略螺旋状に設けることが好適である。本実施形態において、移送手段２は本体部４の内面に固定されており、本体部４と共に回動する様になっている。
【００１９】
排出手段７は、後述する洗浄廃水Ｗ２を本体部４外に排出するために設けられている。本実施形態において、排出手段７は、本体部４の周壁４ｃの略全面に亘って形成された複数の穴として設けられている。排出手段７の穴の大きさは、獣脂Ｆが通れない大きさであって、後述する洗浄廃液（異物を含む）が排出可能な大きさとなっている。
【００２０】
回動手段５は、本体部４を回動させるために設けられている。本実施形態においては、回動手段５は、本体部４の入口部４ａの近傍に設けられ（尚、図１においては、図示を省略している）、図示されない駆動手段によって回動可能となっており、回動手段５が、Ａ２方向とは逆に回転することによって、回転力が本体部４へと伝達されて、本体部４がＡ２方向に回動する様になっている。尚、回動手段５は、必要に応じて、様々なものを適宜選択可能である。
【００２１】
噴射手段６は、本体部４内に設けられており、本体部４内の獣脂Ｆに向けて、洗浄液Ｗ１を噴射するために設けられている。本実施形態において、噴射手段６は、本体部４に挿通され、その一端が図示しない洗浄液供給源に接続されたパイプとして設けられており、噴射手段６は、洗浄液Ｗ１を噴射するための複数の噴射口６ａが入口部４ａ側から出口部４ｂ側へと並設されている。尚、噴射手段６が設けられる位置や噴射口６ａが向いている方向は、後述する異物処理工程において、獣脂Ｆに向けて洗浄液Ｗ１を噴射することはできれば、適宜選択することが可能である。例えば、噴射口６ａをより下方を向くように設け、獣脂Ｆに対して略真上より洗浄液Ｗ１を噴射する様にしてもよい。又、その際に、噴射手段６をより上方に設けたり、より本体部６の中央に近づけたりすることも可能である。
【００２２】
冷却槽２は、後述する冷却工程を行うために設けられており、冷却液で満たされる槽部９と、本体部４の出口部４ｂから排出された獣脂Ｆを、槽部９内に落とすための誘導部１０が設けられている。
【００２３】
次に、本実施形態における異物除去方法について説明する。本実施形態の異物処理方法は、前処理工程、異物処理工程、冷却工程及び検査工程を有している。尚、本実施形態の異物処理方法の下記工程は、当然に、食用脂の製造工程の一部として組み入れることが可能である。
【００２４】
＜前処理工程＞
獣脂Ｆには、前処理工程として、獣脂Ｆの表面のべた付きを洗い流すための処理がされる。この前処理工程は、従来行われていた獣脂の異物処理方法と同様の公知の装置・方法により行うことができる。前処理工程は、例えば、以下の様に行うことが可能である。
【００２５】
加熱手段を備えた又は給湯手段に接続された洗浄槽（図示せず）を獣脂Ｆの表面のべた付きの除去に適した温度になるまで加温された前処理液（洗浄液）で満たす。その後、該洗浄槽内に獣脂Ｆを入れ、獣脂Ｆを加温された該前処理液に浸す。
【００２６】
そして、前記洗浄槽内をバブリングしたり、攪拌手段等によって該洗浄槽内を攪拌したりする等によって、該前処理液内で獣脂Ｆを搖動させ、獣脂Ｆの表面のべた付きと共に異物をある程度洗い流す。そして、該前処理工程が完了した獣脂Ｆは、次の異物処理工程へと送られる。尚、獣脂Ｆを洗浄装置２へと搬送する手段は、手作業でもよいし、ベルトコンベア等の機械的手段であってもよい。
【００２７】
前記前処理液の温度は、獣脂Ｆの融点±10℃の範囲を目安として加温されることが望ましい。例えば、獣脂Ｆが、豚脂である場合においては、前処理液は、40℃±10℃の範囲、つまり、30℃以上、50℃以下に加温されることが望ましい。又、前処理液としては、従来の異物処理方法で使用されているのと同様に水を使用することができるが、更に、残留していても人体に影響のない洗浄剤を含有させることも可能である。この前処理工程の段階で、約80％程度の獣脂Ｆの表面に付着した異物が除去される。
【００２８】
＜異物除去工程＞
異物処理工程は、噴射工程と、該噴射工程と並行して行われる排液工程と、を有している。先ず、前記の前処理工程が行われ、前記前処理液により表面のべた付きが洗い流された獣脂Ｆを、洗浄装置２の本体部４内に移し、回動手段５によって本体部４を回動させる。そして、本体部４を回動させながら、噴射手段６の噴射口６ａより洗浄液Ｗ１を獣脂Ｆに向けて噴射する（噴射工程）。それと同時に、獣脂Ｆは、移送手段８の螺旋に沿って、入口部４ａから出口部４ｂに向けてＡ１方向に移送されていき、最終的には、冷却工程へと送られる。
【００２９】
この際、獣脂Ｆは、本体部４の周壁４ｃの内面に沿って持ち上げられ、その後、重力による落下を繰り返しながら移送されることとなる。これによって、獣脂Ｆを、引っ繰り返すことが可能となり、獣脂Ｆの表面全面に亘って、洗浄液Ｗ１を噴射することが可能となる。本実施形態においては、螺旋状の移送手段８が設けられていることによって、獣脂Ｆが掻き揚げることができるため、獣脂Ｆの持ち上げと落下をより効率よく行うことができる様になっている。
【００３０】
獣脂Ｆの表面への洗浄液Ｗ１の噴射によって、前記の前処理工程後に残留している獣脂Ｆの表面にある異物は洗い流され、本体部４内には、該異物を含む洗浄液Ｗ１（以下、洗浄廃液Ｗ２という）が発生する。洗浄廃液Ｗ２は、本体部４の排出手段７から速やかに本体部４の外部へと排出される様になっている（排液工程）。洗浄廃液Ｗ２が本体部４内に留まっていると洗浄液Ｗ１によって洗い流された異物が獣脂Ｆの表面に再付着する危険性が増加するため、上記噴射工程と並行して、可能な限り速やかに洗浄廃液Ｗ２は本体部４の外部へと排出されることが望ましい。
【００３１】
洗浄液Ｗ１としては、例えば、前記前処理液と同様に従来の異物処理方法で使用されている公知の洗浄液である水を使用することができる。
【００３２】
洗浄液Ｗ１の温度は、冷却工程で用いられる冷却液の温度以上であって、獣脂Ｆの融点以下であることが望ましい。洗浄液Ｗ１の温度が、獣脂Ｆの融点以上であると、異物処理工程に掛る時間によっては、獣脂Ｆの融解や、獣脂Ｆの酸化が進行してしまい、獣脂Ｆが劣化してしまう可能性がある。
【００３３】
又、洗浄液Ｗ１の温度が、冷却液の温度よりも低い場合、異物処理工程に掛る時間によっては、獣脂Ｆの表面が冷えて固くなってしまい、効率よく獣脂Ｆの表面の異物の除去ができなくなる可能性がある。例えば、獣脂Ｆが豚脂である場合、洗浄液Ｗ１の温度は、20℃±10℃の範囲、つまり、10℃以上、30℃以下であることが望ましい。
【００３４】
＜冷却工程＞
前記異物除去工程が行われた獣脂Ｆは、冷却工程へと送られる。冷却工程は、獣脂Ｆを冷却し、酸化等を抑えるために行われる。該冷却工程そのものの手順は、従来の異物処理工程で行われていた公知の工程と同様である。例えば、移送手段８によって移送されてきた獣脂Ｆを、誘導部１０を介して冷却液で充たされた冷却槽２の槽部９内に落とし、獣脂Ｆを該冷却液に浸すことにより行われる。冷却液は、例えば、水を選択することが可能である。冷却液の温度は、望ましくは、冷却液の凝固点以上の温度であって、10℃以下である。冷却工程を完了した獣脂Ｆは、次の検査工程へと送られる。
【００３５】
＜検査工程＞
前記異物処理工程でも除去しきれなかった異物は、検査工程で除去される。検査工程は、従来の異物除去方法と同様に検査員の目視によって通常行われる。本実施形態においては、この工程で発見される異物（獣毛）の数は、1トンの獣脂Ｆ当たり、最大で10乃至20本程度である。しかしながら、この残存している異物は、その殆どが、屠殺から異物処理の段階にくるまでの間に、獣脂Ｆの一部が折畳まれてできた表面が外部に露出せずに洗浄液Ｗ１の噴射が困難となる部分に集中しているため、検査工程は、当該部分を中心として行われる。
【００３６】
本実施形態においては、前記の前処理工程を行い表面のべた付きが洗い流された獣脂Ｆを本体部４内に入れ、本体部４を回動させながら洗浄液Ｗ１を噴射することによって、該表面に残留していたり、再付着したりした異物を洗い流すことが可能となっている。
【００３７】
そして、洗浄液Ｗ１によって除去された異物は、洗浄廃液Ｗ２として本体部４の周壁４ｃに設けられた排出手段７より、速やかに本体部４外へと排出されるため、異物が獣脂Ｆに再付着することをより確実に防止することができる様になっている。
【００３８】
これによって、少なくとも洗浄液Ｗ１を噴射することが可能な獣脂Ｆの表面に異物が残存することを防止することができるため、獣脂Ｆの検査工程は、獣脂Ｆが折畳まれていたりして、洗浄液Ｗ１を噴射することが困難な部分を中心として行えばよい。例え、白色もしくはそれに近似する色の異物であったとしても、異物のある場所が特定されているので、発見し易い。
【００３９】
そのため、異物の除去を行った獣脂Ｆの検査工程を簡素化もしくは省くことが可能となる。前記異物除去工程を獣脂Ｆに行うことで、例えば、従来の異物処理方法では、10人の検査員で約1時間掛っていた検査工程を約10分に短縮することが可能となる。
【００４０】
本発明を、上記実施形態に基づき説明したが、本発明は、上記実施形態に限定されるものではなく、発明の要旨を変更しない範囲で適宜変更可能である。
【００４１】
（１）上記実施形態においては、本体部４そのものを回動体としたが、本体部４を外装（図示せず）と該外装内設けられた回動部（図示せず）とを有するものとし、該回動部のみを回動する様にすることも可能である。
【００４２】
（２）上記実施形態においては、移送手段８を本体部４の内面に固定したが、移送手段８と本体部４とを別体とし、本体部４は回動させずに移送手段８のみが回動する様にし、移送手段８と回動体とを兼ねる様にすることも可能である。
【００４３】
（３）上記実施形態においては、本体部４を入口部４ａと出口部４ｂとを有する無底の略筒形とたが、出口部４ｂのない有底の略筒形とすることができる。その際、獣脂Ｆを掻き揚げるための掻揚板を本体部４（回動体）の内面に設けることも可能である。
【００４４】
（４）上記実施形態においては、前処理工程と異物処理工程とを連続して行ったが、必ずしもこの二つの工程は連続して行う必要はなく、別の場所で、従来の異物処理方法で処理され、表面のべた付きが除去された獣脂Ｆの再処理に用いることも可能である。
【００４５】
（５）上記実施形態においては、洗浄液として水を用いたが、適宜選択可能である。例えば、水に残存していても人体に影響のない洗浄剤を添加してもよい。
【符号の説明】
【００４６】
１    異物除去装置    ２    洗浄装置        ３    冷却槽          ４    本体部
４ａ  入口部          ４ｂ  出口部          ４ｃ  周壁            ５    回動手段
６    噴射手段        ６ａ  噴射口          ７    排出手段        ８    移送手段
９    槽部            １０  誘導部          Ａ    方向            Ｆ    獣脂
Ｗ    洗浄液
【図１】
2019013201.tif 000003
【図２】
2019013201.tif 000004
【図３】
2019013201.tif 000005
【手続補正書】
【提出日】平成30年10月1日(2018.10.1)
【手続補正１】
【補正対象書類名】特許請求の範囲
【補正対象項目名】請求項１
【補正方法】変更
【補正の内容】
【請求項１】
獣脂の異物除去方法であって、
前処理液によって表面が洗い流された該獣脂を、周壁を有する回動体（但し、獣脂が洗浄液に常に浸かる様になっているものを除く）内に入れ、該回動体を回動させ、該獣脂を該周壁の内面に沿って持ち上げ、その後、重力による落下させることを繰り返しながら該回動体内に設けられた噴射手段によって洗浄液を該獣脂に向けて噴射する噴射工程と、該噴射工程と並行して洗浄廃液の排出を行う排液工程と、を有する異物除去工程を含むことを特徴とする獣脂の異物除去方法。 
【手続補正２】
【補正対象書類名】特許請求の範囲
【補正対象項目名】請求項７
【補正方法】変更
【補正の内容】
【請求項７】
前記獣脂は、前記噴射工程と同時に、前記回動体内に設けられた移送手段によって、前記回動体の一端より他端へと移送されることを特徴とする請求項１乃至６の何れかに記載の異物除去方法。
【手続補正３】
【補正対象書類名】特許請求の範囲
【補正対象項目名】請求項８
【補正方法】変更
【補正の内容】
【請求項８】
請求項１乃至７の何れかに記載の獣脂の異物除去方法を用いることを特徴とする食用脂の製造方法。 
【手続補正４】
【補正対象書類名】特許請求の範囲
【補正対象項目名】請求項９
【補正方法】変更
【補正の内容】
【請求項９】
獣脂の異物除去装置であって、
該獣脂が入れられると共に周壁を有する回動体（但し、獣脂が洗浄液に常に浸かる様になっているものを除く）と、
該回動体を回動させるための回動手段と、
該回動体内に設けられ、洗浄液を該獣脂に対して噴射する噴射手段と、
洗浄廃液を排出するための排出手段と、を備え、
該洗浄液の該獣脂に対する噴射は、該獣脂を、該周壁の内面に沿って、持ち上げ、その後、重力によって落下させることを繰り返しながら行うことができ、
該洗浄廃液の排出は、該洗浄液の噴射と並行して行うことができることを特徴とする獣脂の異物除去装置。 
【手続補正５】
【補正対象書類名】特許請求の範囲
【補正対象項目名】請求項１２
【補正方法】変更
【補正の内容】
【請求項１２】
前記排出手段は、複数の穴として、前記周壁に設けられていることを特徴とする請求項９乃至１１の何れかに記載の獣脂の異物除去装置。 
【手続補正６】
【補正対象書類名】明細書
【補正対象項目名】０００９
【補正方法】変更
【補正の内容】
【０００９】
本発明は、獣脂の異物除去方法であって、前処理液によって表面が洗い流された該獣脂を、周壁を有する回動体（但し、獣脂が洗浄液に常に浸かる様になっているものを除く）内に入れ、該回動体を回動させ、該獣脂を該周壁の内面に沿って持ち上げ、その後、重力による落下させることを繰り返しながら該回動体内に設けられた噴射手段によって洗浄液を該獣脂に向けて噴射する噴射工程と、該噴射工程と並行して洗浄廃液の排出を行う排液工程と、を有する異物除去工程を含むことを特徴とする獣脂の異物除去方法である。 
【手続補正７】
【補正対象書類名】明細書
【補正対象項目名】００１０
【補正方法】変更
【補正の内容】
【００１０】
又、本発明は、獣脂の異物除去装置であって、該獣脂が入れられると共に周壁を有する回動体（但し、獣脂が洗浄液に常に浸かる様になっているものを除く）と、該回動体を回動させるための回動手段と、該回動体内に設けられ、洗浄液を該獣脂に対して噴射する噴射手段と、洗浄廃液を排出するための排出手段と、を備え、該洗浄液の該獣脂に対する噴射は、該獣脂を、該周壁の内面に沿って、持ち上げ、その後、重力によって落下させることを繰り返しながら行うことができ、該洗浄廃液の排出は、該洗浄液の噴射と並行して行うことができることを特徴とする獣脂の異物除去装置である。 
【手続補正８】
【補正対象書類名】明細書
【補正対象項目名】００１１
【補正方法】変更
【補正の内容】
【００１１】
又、本発明は、前記獣脂の異物処理方法を用いることを特徴とする食用脂の製造方法である。 
【手続補正９】
【補正対象書類名】明細書
【補正対象項目名】００１３
【補正方法】変更
【補正の内容】
【００１３】
又、本発明は、前記回動体内に設けられて、前記獣脂を該回動体の一端より他端へと移送する移送手段を更に備えることが可能ある。又、本発明は、前記移送手段を、略螺旋状に形成することが可能である。又、本発明は、前記排出手段を、複数の穴として、前記周壁に設けることが可能である。